(57)【要約】【課題】残像効果を利用して文字又は絵を表示する表示装置と応援用として用いられる照明棒を共に備える表示器兼用照明棒を提供する。【解決手段】表示器兼用照明棒は、所定の長さを有する本体部２０、本体部２０の一側に長手方向に整列された多数の発光素子からなる発光部、表示データが記憶され、この表示データを読み出し、読み出された表示データが発光部に表示されるように制御するマイクロコントローラチップを有する表示器と、本体部２０の内部に設けられた基板部の一端に設けられた発光ダイオードを有し、発光ダイオードに隣接して位置するとともに本体部２０の他側に長手方向に設けられた照明棒４０とを備えて構成される。【選択図】        図１
2005062779.tif 000002
【特許請求の範囲】
【請求項１】
残像効果を利用する表示器兼用照明棒であって、
所定の長さを有する本体部（２０）、前記本体部の一側に長手方向に整列された多数の発光素子からなる発光部（８０）、表示データを記憶するとともに該表示データが前記発光部（８０）に表示されるように制御するマイクロコントローラチップ（１００）を有する表示器と、
前記本体部（２０）の内部に設けられた基板（１３０）の一端に設けられた発光ダイオード（７０）を有し、該発光ダイオード（７０）に隣接して位置するとともに前記本体部（２０）の他側に長手方向に設けられた照明棒（４０）と、
を備えたことを特徴とする表示器兼用照明棒。
【請求項２】
前記照明棒（４０）は、その表面がスクラッチ処理されていることを特徴とする請求項１に記載の表示器兼用照明棒。
【請求項３】
前記本体部（２０）は、断面が正方形、円筒、又は長方形であることを特徴とする請求項１に記載の表示器兼用照明棒。
【請求項４】
前記本体部（２０）の上部に、該本体部（２０）と一体に設けられた頭部（１０）を備えることを特徴とする請求項１に記載の表示器兼用照明棒。
【請求項５】
前記頭部（１０）は、ハート形、星形、円形、又は多角形であることを特徴とする請求項４に記載の表示器兼用照明棒。
【請求項６】
前記本体部（２０）の下部に、本体部（２０）と一体に設けられた把持部（３０）を備えることを特徴とする請求項１に記載の表示器兼用照明棒。
【請求項７】
前記把持部（３０）は、砂時計の形状、中央部が膨らんでいる形状、左右側部が凸部及び凹部が交互に形成された形状、又は右側部の中央部が膨らんでおり且つ左側部に凸部及び凹部が交互に形成された形状であることを特徴とする請求項６に記載の表示器兼用照明棒。
【発明の詳細な説明】
【技術分野】
【０００１】
本発明は残像効果を利用した表示器兼用照明棒に関し、より詳しくは時間差を置いて発光する発光体が移動するとき、目の網膜に残る残像によって連続した文字又は絵が認識できるようにする表示器兼用照明棒に関するものである。
【背景技術】
【０００２】
残像効果を利用した従来の表示装置に関する技術は、例えば特許文献１に開示されている。そこで開示されているような表示装置は、本体部と、発光部と、メモリ（ＥＥＰＲＯＭ）と、制御部（ＡＳＩＣ）とから構成されている。本体部は、所定の長さを有しており、その長手方向に沿って多数の発光素子が配列されている。この多数の発光素子が発光部を構成している。メモリには表示データが記憶されており、制御部は、そのメモリから表示データを読み出すとともに、読み出した表示データが表示されるように発光部を制御する。この表示装置では、上記発光部の発光状態の残像によって表示イメージを形成する。具体的には、上記長手方向とは異なる方向に本体部を揺らし、その揺れ経路上に上記発光部の発光状態を残像として残す。
【０００３】
しかし、このような表示装置においては、表示データが記憶されたメモリと、発光部を制御する制御部とが別々のＩＣチップで形成されている。これらＩＣチップは、別々の製造工程で製造しなければならず、さらには多数の製造工程を経なければならない。すなわち、表示装置に用いられるＩＣチップの製造コストが大きくなっているという問題があった。
【０００４】
一方、芸能人のコンサート又は各種の運動競技の観覧の際に、観覧者は観覧とともに応援を行うが、特に夜間の野外又は暗い室内では、夜光棒を振りながら応援することが知られている。
【０００５】
しかし、このような夜光棒は、比較的使用時間が短い。また、一般に、夜光棒の内部には発光に用いられる化学物質が収納されているが、夜光棒を廃棄した場合、その化学物質が深刻な環境汚染を引き起こすという問題がある。さらには、夜光棒を使わずに長く放置した場合、その発光度が著しく低下するという問題もある。低下した発光度を回復させるためには、棒の内部に化学物質を注入しなければならないが、一般人にとっては、その化学物質の注入作業は難しいという問題があった。
【０００６】
このような問題点を解決した携帯用発光棒に関する技術が特許文献２に開示されている。この携帯用発光棒は、手で把持した状態で振られると、棒の上部に設けられた発光ダイオードによって点滅光を生成する。この携帯用発光棒によれば、電池のみを交換して半永久的に使用することができ、携帯及び保管が容易となるという利点がある。しかし、発光方式が、通常の電池を電源とした発光ダイオードによって単に光を拡散させるものであるため、肉眼ではっきり捕らえることができないという問題があった。
【０００７】
さらに、残像効果を利用した表示装置（又は発光棒）のみを用いて応援した場合、この表示装置の発光部（又は発光棒）は応援者の前方からでしか視認できないため、自分を含めた他の応援者に対しては何の視覚的効果も与えることができず、無味乾燥な感じを与え易いという問題があった。
【０００８】
【特許文献１】大韓民国特許公開公報第１９９９−００８６５６５号
【特許文献２】大韓民国特許公告公報第２０−２００２−０２７３０９９号
【発明の開示】
【発明が解決しようとする課題】
【０００９】
したがって、本発明の目的は、残像効果を利用する表示装置において、応援者の前方だけでなく、応援者自分にも視覚的効果を与えるようにすることである。
【００１０】
本発明のほかの目的は、残像効果を利用する表示装置において、表示データが記憶されたメモリと、該メモリから表示データを読み出し、読み出された表示データが発光部に表示されるように制御する制御部とを、別々のチップでなく、単一のチップで提供し、これにより製造工程及び製造コストを低減することである。
【００１１】
本発明のさらに他の目的は、発光ダイオードの点灯によっても、肉眼ではっきりと視認できるようにすることである。
【課題を解決するための手段】
【００１２】
以上目的を達成するため、本発明にかかる表示器兼用照明棒は、残像効果を利用する表示器兼用照明棒であって、所定の長さを有する本体部、前記本体部の一側に長手方向に整列された多数の発光素子からなる発光部、表示データを記憶するとともに該表示データが前記発光部に表示されるように制御するマイクロコントローラチップを有する表示器と、前記本体部の内部に設けられた基板の一端に設けられた発光ダイオードを有し、該発光ダイオードに隣接して位置するとともに前記本体部の他側に長手方向に設けられた照明棒と、を備えたことを特徴としている。
【００１３】
本発明の構成は前述したような特許文献１とほぼ同一であるが、前記マイクロコントローラチップは、前記従来の特許のように種々のチップ、つまりメモリ（ＥＥＰＲＯＭ）と制御部（ＡＳＩＣ）とが別々に提供されずに、単一のマイクロコントローラチップで提供される。
【００１４】
また、本発明において、前記本体部の他側に長手方向に設けられた照明棒はその表面がスクラッチ処理によって粗く形成されている。
【発明の効果】
【００１５】
本発明によれば、残像効果を利用する表示器を本体部の一側に備えるとともに、応援用として用いられる照明棒を本体部の他側に備えるので、応援者の前方だけでなく、応援者自身にも視覚的効果を与えることができ、別々のチップを用いずに単一のチップを用いることで、製造工程及び製造コストを低減することができ、さらには照明棒に案内される光を照明棒の表面で乱反射させることで、肉眼ではっきりと視認できるという効果を奏する。
【発明を実施するための最良の形態】
【００１６】
以下に、本発明の実施例を添付図面に基づいて詳細に説明する。本発明にかかる表示器兼用照明棒のうち、表示器部分は、本体部の一側に設けられた多数の発光ダイオードの発光による残像効果を利用して文字又は絵を表示する。一般に、一定の速度以上に物体を動かすと、目の網膜にその物体の移動の形跡が残るため、物体が連続的に見える。特にこの残像効果は、発光体の移動に対して顕著となる。本発明にかかるその表示器部分は、この残像効果を利用するものであり、本体部の一側に設けられた多数の発光素子を、一定の時間間隔で選択的に発光させることにより、文字又は絵を表示する。
【００１７】
また、本発明にかかる表示器兼用照明棒のうち、照明棒部分は、本体部の他側に設けられ、電源の印加によって発光した発光ダイオードの光が照明棒に入射する際に、照明棒の表面で乱反射させることを特徴としている。これにより、発光ダイオードの光は肉眼でよりはっきりと視認できる。
【００１８】
図１〜４は、本発明の好ましい一実施例による表示器兼用照明棒を示す図である。図１に示すように、本発明の表示器兼用照明棒の本体部２０には、長手方向に長方形のスロットが形成されている。また、照明棒４０が、本体部２０に形成されたスロットの内部の一側に長手方向に取り付けられた支持具（図示せず）によって支持されている。
【００１９】
図２において、本発明にかかる表示器兼用照明棒には、直線状に配列された多数の発光ダイオード８０が設けられている。本体部２０の下部には把持部３０が設けられ、この把持部３０の一側には、電源スイッチ５０と、表示しようとする文字又は絵などを選択するための選択ボタン６０とが設けられている。なお、図示していないが、把持部３０の下端に、乾電池の交換を可能にするための蓋を設けてもよい。例えば、この蓋は、乾電池を収納した状態においてネジで固定されており、乾電池の交換の際にそのネジを外すことによって分離されるか開かれる。図１及び図２には、本体部２０が略正方形の断面を有する構造として示されているが、円筒形、長方形のような他の形状の断面を有するように形成されてもよい。
【００２０】
図１及び図２に示すように、本体部２０の上部には、本体部２０と一体となった頭部１０が設けられており、特にこの頭部１０はハート形に形成されている。しかし、頭部１０は、ハート形に替えて、星形、円形、多角形のような多様な形状でもよく、また、必ずしも必須ではない。
【００２１】
図１及び図２では、把持部３０は中央部が括れた砂時計形状であるように示されているが、この把持部３０は中央部が膨らんだ形状、左右側部に凸部及び凹部が交互に形成された形状、又は右側部は中央部が膨らんだ形状であり且つ左側部には凸部及び凹部が交互に形成された形状となるように形成されることもできる。
【００２２】
つぎに、図３及び図４に基づいて、本発明の動作について説明する。使用者は、オンオフスイッチ５０をオンにし、選択ボタン６０で所望の文字又は絵を選択した後、この表示器兼用照明棒を一定の速度で且つ一定幅で両方向に振る。これにより、本体部２０の一側に設けられた表示器側に位置する人は、文字又は絵の表示を視認することができる。この際、本体部２０の他側に設けられたアクリル材の照明棒４０にも、これに隣接して設けられた発光ダイオード７０の光が入射する。ここで、アクリル材から形成された棒の表面が滑らかであると、入射光が反射されずにそのまま通過してしまう。よって、本発明においては、スクラッチ処理を施すことで照明棒の表面を微細に粗くし、入射光を乱反射させている。この乱反射によって、照明棒の表面を肉眼で容易に視認することができる。本発明にかかる表示器兼用照明棒内には、このような機能を行うための回路が内蔵されている。
【００２３】
図３は、図１の表示器兼用照明棒の内部を示す図であり、図４は、その表示器兼用照明棒に内蔵されたマイクロコントローラチップの構成を示す回路ブロック図である。
【００２４】
照明棒４０は、図３に示していないが、表示器兼用照明棒に設けられた支持部材によって支持され、基板１３０にマイクロコントローラチップ１００が設けられ、この基板１３０は本体部２０の長手方向に沿って頭部１０の下部まで延伸している。そして、この延長した基板の端部に発光ダイオード７０が設けられる。照明棒４０は、実際には、発光ダイオード７０の下部に隣接して配置される。
【００２５】
本実施例においては、発光ダイオード７０が、図３に示すように、本体部２０の上部、つまり把持部３０から離れた側にのみ設けられるものとして示されているが、把持部３０に隣接した側にのみ設けることもでき、両側に共に設けることもできる。
【００２６】
図４に示すように、表示器部分は、多数の発光ダイオード８０と、表示しようとする文字又は絵を選択するための選択ボタン６０と、マイクロコントローラチップ１００と、マイクロコントローラチップ１００と、クロック信号を発生するクロック発生器１１０とを備えて構成される。また、マイクロコントローラチップ１００には、メモリ９０と、表示動作の全体的な制御を行う制御部１２０とが内蔵されている。
【００２７】
メモリ９０には、文字又は絵のための多数の表示データが記憶されている。例えば、一つの発光ダイオードを１ピクセルとする場合、３２×６４ピクセル形態の文字又は絵のためのデータが記憶される。使用者は、選択ボタン６０によって、表示しようとする文字又は絵を選択することができる。
【００２８】
マイクロコントローラチップ１００は、メモリ９０から選択された文字又は絵のための表示データを読み込み、読み込んだ表示データに応じて複数の発光ダイオード８０を駆動する。
【００２９】
使用者がこの表示器兼用照明棒の電源をオンし、所望の文字又は絵を選択した後、一定の速度で左右に振ると、表示器部分により、一定空間領域に相当する文字又は絵が表示される。この表示は、表示器部分を見る人の網膜において発光の残像（すなわち、文字又は絵）として認識される。また、上記した電源のオンによって、本体部２０の一側に設けられた発光ダイオード７０もまた発光する。発光ダイオード７０の光は、照明棒４０の一端に入射し、照明棒４０のスクラッチ処理された粗い表面で乱反射されるので、この照明棒４０を見る人は照明棒をはっきりと視認することができる。
【００３０】
図５は、本発明にかかる他の実施例による表示器兼用照明棒を示す図である。ここでは、前述した本発明の実施例と同一または相当する構成要素についての説明は省き、相違点についてのみ説明する。
【００３１】
図５に示すように、本実施例にかかる表示器兼用照明棒においては、照明棒４０の設置位置が図１に示した実施例とは異なり、本体部２０の左側面に設けられている。
【００３２】
図６は、本発明にかかるさらに別の実施例による表示器兼用照明棒を示す図である。ここでもまた、前述した本発明の実施例と同一または相当する構成要素についての説明は省き、相違点についてのみ説明する。
【００３３】
図６に示すように、本実施例にかかる表示器兼用照明棒においては、把持部３０の形状が図１に示した実施例とは異なり、中央部が膨らんでいる。
【００３４】
図７は、本発明にかかるさらに別の実施例による表示器兼用照明棒を示す図である。ここでもまた、前述した本発明の実施例と同一または相当する構成要素についての説明は省き、相違点についてのみ説明する。
【００３５】
図７に示すように、本実施例にかかる表示器兼用照明棒においては、把持部３０の形状が図１に示した実施例とは異なり、右側部は中央部が膨らんでおり、左側部は凸部と凹部が交互に設けられている。また、オンオフスイッチ５０及び選択ボタン６０の配列も、図１に示した実施例と異なり、縦方向でなく横方向に配列されている。
【００３６】
図８は、本発明にかかるさらに別の実施例による表示器兼用照明棒を示す図である。ここでもまた、前述した本発明の実施例と同一または相当する構成要素についての説明は省き、相違点についてのみ説明する。
【００３７】
図８に示すように、本実施例にかかる表示器兼用照明棒においても、把持部３０の形状が図１に示した実施例とは異なり、左右側部に凸部と凹部が交互に設けられている。また、オンオフスイッチ５０及び選択ボタン６０も、図１に示した実施例と異なり、把持部３０でなく本体部２０に配置されている。
【００３８】
以上に説明したように、本発明が属する技術分野の当業者によれば、本発明を、その技術的思想又は必須特徴を変更しないで他の具体的な形態によって実施することが可能である。したがって、前述した実施例は全ての面で例示的なものであり、限定的なものではない。
【産業上の利用可能性】
【００３９】
以上のように、本発明にかかる表示器兼用照明棒は、芸能人のコンサートや各種の運動競技の観覧や応援を行う際に用いる応援装置として有用である。
【図面の簡単な説明】
【００４０】
【図１】本発明の一実施例にかかる表示器兼用照明棒の斜視図であり、特に照明棒を指し示す図である。
【図２】本発明の一実施例にかかる表示器兼用照明棒の斜視図であり、特に表示器部分を指し示す図である
【図３】本発明の一実施例にかかる表示器兼用照明棒の内部構成を示す図である。
【図４】マイクロコントローラチップの構成を示す回路ブロック図である。
【図５】本発明の他の実施例にかかる表示器兼用照明棒の斜視図である。
【図６】本発明のさらに別の実施例にかかる表示器兼用照明棒の斜視図である。
【図７】本発明のさらに別の実施例にかかる表示器兼用照明棒の斜視図である。
【図８】本発明のさらに別の実施例にかかる表示器兼用照明棒の斜視図である。
【符号の説明】
【００４１】
１０  頭部
２０  本体部
３０  把持部
４０  照明棒
５０  オンオフスイッチ
６０  選択ボタン
７０、８０  発光ダイオード
９０  メモリ
１００  マイクロコントローラチップ
１１０  クロック発生器
１２０  制御部
【図１】
2005062779.tif 000003
【図２】
2005062779.tif 000004
【図３】
2005062779.tif 000005
【図４】
2005062779.tif 000006
【図５】
2005062779.tif 000007
【図６】
2005062779.tif 000008
【図７】
2005062779.tif 000009
【図８】
2005062779.tif 000010